(57)【要約】【課題】オーバーキャップを取り外すとき又は装着するときに注出キャップが共回りして口部から外れるのを規制した上で、注出キャップを容器から容易に取り外すこと。【解決手段】有底筒状の容器２と、容器の口部３に装着されるキャップ４と、を備え、キャップは、容器の口部に着脱可能に螺着されると共に注出口５ａを有する注出キャップ５と、注出キャップに着脱可能に螺着され注出口を覆うオーバーキャップ６と、注出キャップ及び容器に係合して両者の相対的なキャップ周方向に沿った少なくとも緩み側の移動を規制する規制部７と、を有し、規制部は、注出キャップ及び容器に対してキャップ軸Ｏ方向にスライド移動自在に設けられると共に、キャップ軸方向に沿ってオーバーキャップ側にスライド移動されたときに容器との係合が解除されるキャップ付容器１を提供する。【選択図】図１
2010036921.tif 000002
【特許請求の範囲】
【請求項１】
有底筒状の容器と、該容器の口部に装着されるキャップと、を備えるキャップ付容器であって、
前記キャップは、前記容器の口部に着脱可能に螺着されると共に注出口を有する注出キャップと、該注出キャップに着脱可能に螺着され注出口を覆うオーバーキャップと、前記注出キャップ及び前記容器に係合して両者の相対的なキャップ周方向に沿った少なくとも緩み側の移動を規制する規制部と、を有し、
該規制部は、前記注出キャップ及び前記容器に対してキャップ軸方向にスライド移動自在に設けられると共に、キャップ軸方向に沿ってオーバーキャップ側にスライド移動されたときに前記容器との係合が解除されることを特徴とするキャップ付容器。
【請求項２】
請求項１に記載のキャップ付容器において、
前記注出キャップ及び前記規制部のうちのいずれか一方には、キャップ軸方向に延びる第１係合凹溝が形成されると共に、他方には、前記第１係合凹溝に係合され前記注出キャップと前記規制部との相対的なキャップ周方向に沿った双方向の移動を規制する第１係合凸部が突設され、
前記容器及び前記規制部のうちのいずれか一方には、キャップ軸方向に延びる第２係合凹溝が形成されると共に、他方には、前記第２係合凹溝に係合され前記容器と前記規制部との相対的なキャップ周方向に沿った双方向の移動を規制する第２係合凸部が突設されていることを特徴とするキャップ付容器。
【請求項３】
請求項２に記載の計量キャップ付容器において、
前記第１係合凹溝には、前記規制部をキャップ軸方向に沿ってオーバーキャップ側にスライド移動させて前記第２係合凹溝と前記第２係合凸部との係合を解除したときに、前記第１係合凸部が係止される第１係止部が設けられていることを特徴とするキャップ付容器。
【請求項４】
請求項２又は３に記載のキャップ付容器において、
前記第１係合凹溝には、前記第２係合凹溝と前記第２係合凸部とが係合された状態で前記第１係合凸部が係止される第２係止部が設けられていることを特徴とするキャップ付容器。
【発明の詳細な説明】
【技術分野】
【０００１】
本発明は、有底筒状の容器と、容器の口部に装着されるキャップと、を備えるキャップ付容器に関する。
【背景技術】
【０００２】
この種のキャップ付容器として、例えば下記特許文献１に示されるように、容器と、容器の口部に嵌合されると共に注出口を有する注出キャップ、及び注出キャップに着脱可能に螺着され注出口を覆うオーバーキャップを有するキャップと、を備える構成が知られている。
ところで従来、キャップ付容器として、容器、注出キャップ及びオーバーキャップの組立作業を容易にするために、オーバーキャップを注出キャップに螺着させると共に注出キャップを口部に螺着させた構成が提案されている。このようなキャップ付容器では、口部に注出キャップを装着する作業と、注出キャップにオーバーキャップを装着する作業と、が同じ螺着作業となるので、下記特許文献１に記載されたキャップ付容器のように螺着と嵌合の両方を行う場合に比べて組立作業が容易となる。
【０００３】
しかしながら、上記したキャップ付容器では、オーバーキャップを注出キャップに対してキャップ周方向に回転させて取り外すとき又は装着するときに、注出キャップがオーバーキャップと共にキャップ周方向に回転させられる、つまり注出キャップが共回りして口部から外れる恐れがある。
そこで、このキャップ付容器に、注出キャップ及び容器の相対的なキャップ周方向に沿った緩み側の移動を規制する規制部が備えられた構成が知られている。このキャップ付容器では、注出キャップの前述の共回りに起因して、この注出キャップが口部から外れるのを防ぐことができる。
ところで近年では、容器内の内容物を使い切った後に、この容器に例えばパウチ等の他の容器に収容された内容物を詰め替えることで、キャップ付容器を再利用する需要者が増えている。
【特許文献１】実公平３−８６０６号公報
【発明の開示】
【発明が解決しようとする課題】
【０００４】
しかしながら、前記従来のキャップ付容器では、注出キャップと一体に形成された規制部が容器に係合することで前述の共回りを規制しているので、容器から注出キャップを取り外すのが実用上不可能であった。そのため、需要者が容器に内容物を詰め替える際に、内容物を注出キャップの注出口から注ぎ込まざるを得ず、内容物をこぼさないで詰め替えるために細心の注意が要求され、需要者に負担がかかっていた。
【０００５】
本発明は、上述した事情に鑑みてなされたものであって、その目的は、オーバーキャップを取り外すとき又は装着するときに注出キャップが共回りして口部から外れるのを規制した上で、注出キャップを容器から容易に取り外すことができるキャップ付容器を提供することである。
【課題を解決するための手段】
【０００６】
上記課題を解決するために、本発明は以下の手段を提案している。
本発明に係るキャップ付容器は、有底筒状の容器と、該容器の口部に装着されるキャップと、を備えるキャップ付容器であって、前記キャップは、前記容器の口部に着脱可能に螺着されると共に注出口を有する注出キャップと、該注出キャップに着脱可能に螺着され注出口を覆うオーバーキャップと、前記注出キャップ及び前記容器に係合して両者の相対的なキャップ周方向に沿った少なくとも緩み側の移動を規制する規制部と、を有し、該規制部は、前記注出キャップ及び前記容器に対してキャップ軸方向にスライド移動自在に設けられると共に、キャップ軸方向に沿ってオーバーキャップ側にスライド移動されたときに前記容器との係合が解除されることを特徴とするものである。
【０００７】
本発明に係るキャップ付容器によれば、規制部によって注出キャップ及び容器の相対的なキャップ周方向に沿った少なくとも緩み側の移動が規制されるので、オーバーキャップを取り外すとき又は装着するときに注出キャップが共回りして容器の口部から外れるのを規制することができる。しかも、規制部を注出キャップ及び容器に対してキャップ軸方向に沿ってオーバーキャップ側にスライド移動させることで、規制部と容器との係合が解除されて注出キャップ及び容器の相対的なキャップ周方向に沿った緩み側の移動の規制が解除されるので、注出キャップを容器から容易に取り外すことができる。
【０００８】
また、本発明に係るキャップ付容器では、前記注出キャップ及び前記規制部のうちのいずれか一方には、キャップ軸方向に延びる第１係合凹溝が形成されると共に、他方には、前記第１係合凹溝に係合され前記注出キャップと前記規制部との相対的なキャップ周方向に沿った双方向の移動を規制する第１係合凸部が突設され、前記容器及び前記規制部のうちのいずれか一方には、キャップ軸方向に延びる第２係合凹溝が形成されると共に、他方には、前記第２係合凹溝に係合され前記容器と前記規制部との相対的なキャップ周方向に沿った双方向の移動を規制する第２係合凸部が突設されていることが好ましい。
【０００９】
この場合、第１係合凹溝に第１係合凸部が係合され、注出キャップと規制部との相対的なキャップ周方向に沿った双方向の移動が規制されているので、規制部を注出キャップ及び容器に対してキャップ軸方向に沿ってオーバーキャップ側にスライド移動させた後に、例えばこの規制部を注出キャップごと、注出キャップの容器に対するキャップ周方向に沿った緩み側に回転させることで、注出キャップを容器から取り外すことができる。従って、注出キャップを容器から取り外すときに要する操作を簡略化することが可能になり操作性を向上させることができる。
また、内容物の詰め替え後、注出キャップを容器に装着するときには、まず規制部を前述のようにスライド移動させたままの状態で注出キャップを口部に締め込んでいき、その後、注出キャップを例えば口部に締め込んだり緩めたりしながら容器に対する注出キャップの周方向位置を調整しつつ、規制部を注出キャップ及び容器に対してキャップ軸方向に沿って容器側にスライド移動させ、第２係合凹溝に第２係合凸部を係合させる。これにより、規制部の容器への係合と注出キャップの容器に対するキャップ周方向の位置決めとを同時に行うことが可能になり、これらの係合及び位置決めを容易且つ高精度に行うことができる。
【００１０】
また、本発明に係るキャップ付容器では、前記第１係合凹溝には、前記規制部をキャップ軸方向に沿ってオーバーキャップ側にスライド移動させて前記第２係合凹溝と前記第２係合凸部との係合を解除したときに、前記第１係合凸部が係止される第１係止部が設けられていることが好ましい。
【００１１】
この場合、第１係合凸部が、第２係合凹溝と第２係合凸部との係合が解除されたときに第１係止部に係止されるので、注出キャップを容器から取り外すときに、注出キャップ及び容器の相対的なキャップ周方向に沿った緩み側の移動の規制が解除された状態を確実に維持することができ、容器から注出キャップをより容易に取り外すことができる。
【００１２】
また、本発明に係るキャップ付容器では、前記第１係合凹溝には、前記第２係合凹溝と前記第２係合凸部とが係合された状態で前記第１係合凸部が係止される第２係止部が設けられていることが好ましい。
【００１３】
この場合、第１係合凸部が、第２係合凹溝と第２係合凸部とが係合された状態で第２係止部に係止されるので、注出キャップ及び容器の相対的なキャップ周方向に沿った緩み側の移動が規制された状態を確実に維持することができ、オーバーキャップを取り外すとき又は装着するときに注出キャップが共回りして容器の口部から外れるのをより確実に規制することができる。
【発明の効果】
【００１４】
本発明に係るキャップ付容器によれば、オーバーキャップを取り外すとき又は装着するときに注出キャップが共回りして口部から外れるのを規制した上で、注出キャップを容器から容易に取り外すことができる。
【発明を実施するための最良の形態】
【００１５】
以下、本発明に係るキャップ付容器の一実施形態を、図１から図５を参照して説明する。
本実施形態に係るキャップ付容器１は、図１に示すように、有底筒状の容器２と、該容器２の口部３に装着されるキャップ４と、を備えている。
キャップ４は、容器２の口部３に着脱可能に螺着されると共に注出口５ａを有する注出キャップ５と、注出キャップ５に着脱可能に螺着され注出口５ａを覆うオーバーキャップ６と、注出キャップ５及び容器２に係合して両者の相対的なキャップ周方向に沿った少なくとも緩み側の移動を規制する規制部７とを有している。
なお、図示の例では、容器２の口部３、注出キャップ５及びオーバーキャップ６は、それぞれの中心軸線が共通軸上に位置された状態で配設されている。以下、この共通軸をキャップ軸Ｏと称し、キャップ軸Ｏに沿ってオーバーキャップ６側を上側、容器２側を下側と称する。
【００１６】
容器２は、口部３より大径に形成されると共に、口部３の下端に段部８を介して連設された筒状の首部９と、首部９の下端に連設され下側に向かうに従い漸次拡径された肩部１０と、を備えている。口部３の外周面には、雄ネジ３ａが形成されている。
注出キャップ５は、キャップ軸Ｏと同軸に配設された外筒部１１及び内筒部１２と、内筒部１２のキャップ径方向内側に配設されると共に前記注出口５ａを有する筒状のノズル部１３と、を備えている。
外筒部１１は、多段の円筒状に形成され、上筒部１４と、上筒部１４におけるキャップ軸Ｏ方向の中間部にキャップ径方向外方に向けて突設されたフランジ部１５と、フランジ部１５の外周縁部から下方に向けて延設された下筒部１６と、を備えている。
【００１７】
上筒部１４の外周面には、雄ネジ１４ａが形成されている。また、上筒部１４の下端縁におけるキャップ径方向内側部分には下方に向けて嵌合筒部１７が延設され、この嵌合筒部１７が容器２の口部３内に嵌合されていると共に、前記下端縁におけるキャップ径方向外側部分が口部３の上端開口縁と当接している。
下筒部１６の内周面には雌ネジ１６ａが形成されており、この雌ネジ１６ａが口部３の雄ネジ３ａに螺合している。また、下筒部１６の外径は、容器２の首部９の外径より小さくなっている。
更に、この口部３のキャップ径方向内側に内筒部１２が配設されている。この内筒部１２の上端は前記上筒部１４の下端と連結され、内筒部１２と前記嵌合筒部１７との間には隙間があいている。図示の例では、内筒部１２の下端は、容器２の口部３の下端より上側に位置している。
【００１８】
ノズル部１３は、その中心軸がキャップ軸Ｏに対してずらされて配設されると共に、その上端開口が前記注出口５ａとなっている。以下では、注出キャップ５において、キャップ径方向のうちキャップ軸Ｏに対してノズル部１３がずらされた方向を前側とする。
ノズル部１３の下端開口面は、前側から後側に向かうに従い漸次下側に向かって傾斜している。また、ノズル部１３は、下側から上側に向かうに従い後側側面が前側に傾斜して、漸次縮径されている。更に、図示の例では、ノズル部１３の後側側面には、キャップ軸Ｏ方向に沿って延在し、注出口５ａとノズル部１３の下端開口とをつなぐ開口が形成されている。
【００１９】
ノズル部１３の下端は、口部３の下端より下側に位置すると共に、内筒部１２の下端からキャップ径方向内側に向かうに従い下方に向けて延びる連結部１８に連結されている。また、ノズル部１３の上端は、外筒部１１の上端より上方に位置する。
このノズル部１３を有する注出キャップ５が装着された容器２では、注出キャップ５における前述の前側が下方を向くように傾けられることで、内容物が注出口５ａから確実に注出される。
【００２０】
オーバーキャップ６は、有頂筒状に形成された本体筒１９と、本体筒１９のキャップ軸Ｏ方向の中間部からキャップ径方向外方に向けて突設されたフランジ部２０と、フランジ部２０の外周縁部から下方に向けて延設された装着筒２１と、を備え、これら本体筒１９、フランジ部２０及び装着筒２１がいずれもキャップ軸Ｏと同軸に配設されている。
【００２１】
本体筒１９の外径は注出キャップ５の内筒部１２の内径より小さく、本体筒１９の下端は、注出キャップ５の内筒部１２のキャップ径方向内側で且つノズル部１３のキャップ径方向外側に配設されている。
装着筒２１の内周面には、雌ネジ２１ａが形成され、この雌ネジ２１ａが注出キャップ５の上筒部１４の雄ネジ１４ａに螺合している。また、フランジ部２０の下面には下方に向けて嵌合筒部２２が延設され、この嵌合筒部２２が前記上筒部１４内に嵌合されている。
なお、図示の例では、前述した各雄ネジ３ａ、１４ａ、及び各雌ネジ１６ａ、２１ａそれぞれの螺設方向は同じになっている。
【００２２】
規制部７は、リング状に形成され開口内に注出キャップ５が挿通されたキャップ係合部２３と、キャップ係合部２３の外周縁部から下方に向けて延設された筒状の容器係合部２４と、を備え、これらキャップ係合部２３及び容器係合部２４がキャップ軸Ｏと同軸に配設されている。
図示の例では、キャップ係合部２３の開口内に注出キャップ５の下筒部１６が挿通され、キャップ係合部２３の内径は前記下筒部１６の外径と等しくなっている。また、キャップ係合部２３と容器２の段部８との間にはキャップ軸Ｏ方向に隙間があいている。
容器係合部２４の内径は、容器２の首部９の外径よりも大きくなっている。図示の例では、容器係合部２４の下端と容器２の肩部１０との間にはキャップ軸Ｏ方向に隙間があいている。
【００２３】
また、注出キャップ５及び規制部７のうちのいずれか一方には、キャップ軸Ｏ方向に延びる第１係合凹溝２５が形成されると共に、他方には、第１係合凹溝２５に係合され注出キャップ５と規制部７との相対的なキャップ周方向に沿った双方向の移動を規制する第１係合凸部２６が突設されている。図１及び図２に示すように、本実施形態では、注出キャップ５に第１係合凹溝２５が形成され、規制部７に第１係合凸部２６が突設されている。
【００２４】
第１係合凹溝２５は、注出キャップ５の下筒部１６における外周面の下端部において、この下筒部１６の下端縁よりも上方に位置する部分に形成されている。図示の例では、第１係合凹溝２５のキャップ径方向の大きさは、キャップ軸Ｏ方向の位置に関わらず一定の大きさになっている。
また、図３に示すように、第１係合凹溝２５は、前記下筒部１６の外周面にキャップ周方向に互いに等間隔をあけて４つ設けられている。図示の例では、第１係合凹溝２５は、キャップ周方向に延在し、その周長は、例えば前記下筒部１６の外周面における周長の約１／１０になっている。
【００２５】
第１係合凸部２６は、図２に示すように、キャップ係合部２３の内周面における上端にキャップ径方向内側に向けて突設されて凸曲面状に形成されている。また、第１係合凸部２６のキャップ径方向の大きさは、第１係合凹溝２５のキャップ径方向の大きさと等しく、第１係合凸部２６の先端と第１係合凹溝２５の底面２５ａとが当接している。また、第１係合凸部２６の下端は、第１係合凹溝２５の下側端面に当接している。また、第１係合凸部２６のキャップ軸Ｏ方向の大きさは、第１係合凹溝２５のキャップ軸Ｏ方向の大きさより小さく、図示の例では、第１係合凹溝２５の大きさの約１／４となっている。
また、図３に示すように、第１係合凸部２６は、第１係合凹溝２５に対応してキャップ周方向に互いに等間隔をあけて４つ設けられていると共に、横断面視において第１係合凹溝２５と同形同大に形成されて、第１係合凹溝２５に係合されている。これにより、注出キャップ５と規制部７との相対的なキャップ周方向に沿った双方向の移動が規制されている。
【００２６】
また、図１及び図２に示すように、容器２及び規制部７のうちのいずれか一方には、キャップ軸Ｏ方向に延びる第２係合凹溝２７が形成されると共に、他方には、第２係合凹溝２７に係合され容器２と規制部７との相対的なキャップ周方向に沿った双方向の移動を規制する第２係合凸部２８が突設されている。本実施形態では、容器２に第２係合凹溝２７が形成され、規制部７に第２係合凸部２８が突設されている。
【００２７】
第２係合凹溝２７は、容器２の首部９の外周面におけるキャップ軸Ｏ方向の全長に亘って延在し、その上端が首部９の上側に開口されると共に、その下端が肩部１０の上面に開口している。また、図示の例では、第２係合凹溝２７のキャップ径方向の大きさは、首部９のキャップ軸Ｏ方向における上端から中間部までは一定で、中間部から下側では下端に向かうに従って漸次小さくなっている。つまり、第２係合凹溝２７の底面２７ａは、キャップ軸Ｏ方向における中間部より上側では縦断面視で平坦面状に形成され、前記中間部より下側では縦断面視で凹曲面状に形成されて、更に容器２の肩部１０の上面に連なっている。
また、図４に示すように、第２係合凹溝２７は、前記首部９の外周面においてキャップ周方向に互いに等間隔をあけて４つ設けられている。図示の例では、第２係合凹溝２７は、キャップ周方向に延在し、その周長は、首部９の外周面における周長の約１／１０になっている。
【００２８】
第２係合凸部２８は、図２に示すように、容器係合部２４の内周面にキャップ径方向内側に向けて突設され、その上端がキャップ係合部２３の下面に連結されていると共に、その下端が容器係合部２４の下端より上側に位置している。また、第２係合凸部２８と第２係合凹溝２７の底面２７ａとの間にはキャップ径方向に隙間があり、また第２係合凸部２８の下端と容器２の肩部１０との間にはキャップ軸Ｏ方向に隙間があいている。
また、図４に示すように、第２係合凸部２８は、第２係合凹溝２７に対応してキャップ周方向に互いに等間隔をあけて４つ設けられていると共に、横断面視において第２係合凹溝２７と同形同大に形成されて、第２係合凹溝２７に係合されている。これにより、容器２と規制部７との相対的なキャップ周方向に沿った双方向の移動が規制される。
【００２９】
前述した第１係合凹溝２５及び第１係合凸部２６と、第２係合凹溝２７及び第２係合凸部２８とを備えたキャップ付容器１では、規制部７が、注出キャップ５及び容器２それぞれと相対的なキャップ周方向に沿った双方向の移動を規制されているので、この規制部７が注出キャップ５及び容器２に係合することで、注出キャップ５及び容器２の相対的なキャップ周方向に沿った双方向の移動、つまり緩み側及び締付側の移動が規制される。
また、このキャップ付容器１では、第１係合凸部２６を第１係合凹溝２５に係合させた状態で規制部７を容器２及び注出キャップ５に対してキャップ軸Ｏ方向にスライド移動させることができる。
更に、このキャップ付容器１では、図５に示すように、第１係合凸部２６を第１係合凹溝２５の上端までスライド移動させたときに、第２係合凸部２８の下端が第２係合凹溝２７の上端より上方に位置し、第２係合凹溝２７と第２係合凸部２８との係合、つまり規制部７と容器２との係合が解除されるようになっている。
【００３０】
また、図２に示すように、第１係合凹溝２５には、第２係合凹溝２７と第２係合凸部２８とが係合された状態で第１係合凸部２６が係止される第２係止部２９が設けられている。本実施形態では、第２係止部２９は、第１係合凹溝２５の底面２５ａに、キャップ径方向外側に向けて突設された突起であり、第１係合凸部２６が第１係合凹溝２５内の下端に位置しているときに、第１係合凸部２６に上側から当接することで第１係合凸部２６を係止するように形成されている。図示の例では、第２係止部２９は、その縦断面視形状が凸曲面状に形成され、そのキャップ径方向の大きさが、例えば第１係合凹溝２５のキャップ径方向の大きさの約１／３となっている。また、第２係止部２９は、第１係合凹溝２５の底面２５ａにおいて、そのキャップ周方向の全域に亘って連続して延在している。
この第２係止部２９によれば、規制部７をキャップ軸Ｏ方向に沿って上側にスライド移動させる際に、この第２係止部２９を第１係合凸部２６が乗り越えることで、第２係止部２９による第１係合凸部２６の係止が解除される。
【００３１】
更に、第１係合凹溝２５には、図５に示すように、規制部７をキャップ軸Ｏ方向に沿って上側にスライド移動させて第２係合凹溝２７と第２係合凸部２８との係合を解除したときに、第１係合凸部２６が係止される第１係止部３０が設けられている。本実施形態では、第１係止部３０は、第２係止部２９と同形同大の突起であり、第１係合凸部２６が第１係合凹溝２５内の上端に位置しているときに、第１係合凸部２６に下側から当接することで第１係合凸部２６を係止するように形成されている。
この第１係止部３０によれば、この第１係止部３０に第１係合凸部２６が係止されている規制部７をキャップ軸Ｏ方向に沿って下側にスライド移動させる際に、この第１係止部３０を第１係合凸部２６が乗り越えることで、前述の係止が解除される。
【００３２】
次に、前述したキャップ付容器１において、注出キャップ５を容器２に対して着脱させる方法について説明する。始めに、容器２から注出キャップ５を取り外す場合について説明する。
まず、規制部７を注出キャップ５及び容器２に対してキャップ軸Ｏ方向に沿って上側にスライド移動させる。この際、規制部７の第１係合凸部２６が第２係止部２９及び第１係止部３０をこの順に乗り越えて、第１係合凸部２６が第１係止部３０に係止される。これにより、第２係合凸部２８と第２係合凹溝２７との係合が解除されると共に、注出キャップ５に対する規制部７のキャップ軸Ｏ方向に沿った位置が維持されることで、前述の係合の解除が維持される。
【００３３】
次に、注出キャップ５と容器２とを相対的にキャップ周方向に沿った緩み側に移動させ、注出キャップ５を容器２から取り外す。この際、第１係合凹溝２５に第１係合凸部２６が係合され、注出キャップ５と規制部７との相対的なキャップ周方向に沿った双方向の移動が規制されているので、規制部７を注出キャップ５ごと、この注出キャップ５の容器２に対するキャップ周方向に沿った緩み側に回転させることで、注出キャップ５を容器２から取り外すことができる。従って、注出キャップ５を容器２から取り外すときに要する操作を簡略化することが可能となり操作性を向上させることができる。
【００３４】
次に、取り外した注出キャップ５を容器２に装着する場合について説明する。
まず、第１係止部３０に第１係合凸部２６を係止させた状態で、注出キャップ５を口部３に締め込んでいく。その後、注出キャップ５を口部３に締め込んだり緩めたりしながら容器２に対する注出キャップ５の周方向位置を調整しつつ、規制部７を注出キャップ５及び容器２に対してキャップ軸Ｏ方向に沿って下側にスライド移動させ、且つ第２係合凹溝２７に第２係合凸部２８を係合させる。これにより、規制部７の容器２への係合と注出キャップ５の容器２に対するキャップ周方向の位置決めとを同時に行うことが可能になり、これらの係合及び位置決めを容易且つ高精度に行うことができる。
ここで、規制部７をキャップ軸Ｏ方向に沿って下側にスライド移動させるときには、規制部７の第１係合凸部２６が第１係止部３０及び第２係止部２９をこの順に乗り越えて、第１係合凸部２６が第２係止部２９に係止される。
【００３５】
以上説明したように、本実施形態に係るキャップ付容器１によれば、規制部７によって注出キャップ５及び容器２の相対的なキャップ周方向に沿った緩み側の移動が規制されるので、オーバーキャップ６を取り外すとき又は装着するときに注出キャップ５が共回りして容器の口部から外れるのを規制することができる。しかも、規制部７を注出キャップ５及び容器２に対してキャップ軸Ｏ方向に沿って上側にスライド移動させることで、規制部７と容器２との係合が解除されて注出キャップ５及び容器２の相対的なキャップ周方向に沿った緩み側の移動の規制が解除されるので、注出キャップ５を容器２から容易に取り外すことができる。
【００３６】
また、第１係合凸部２６が、第２係合凹溝２７と第２係合凸部２８との係合が解除されたときに第１係止部３０に係止されるので、注出キャップ５を容器２から取り外すときに、注出キャップ５及び容器２の相対的なキャップ周方向に沿った緩み側の移動の規制が解除された状態を確実に維持することができ、容器２から注出キャップ５をより容易に取り外すことができる。
【００３７】
また、第１係合凸部２６が、第２係合凹溝２７と第２係合凸部２８とが係合された状態で第２係止部２９に係止されるので、注出キャップ５及び容器２の相対的なキャップ周方向に沿った緩み側の移動が規制された状態を確実に維持することができ、オーバーキャップ６を取り外すとき又は装着するときに注出キャップ５が共回りして容器の口部から外れるのをより確実に規制することができる。
【００３８】
なお、本発明の技術的範囲は上記実施形態に限定されるものではなく、本発明の趣旨を逸脱しない範囲において種々の変更を加えることが可能である。
例えば、上記実施形態では、注出キャップ５に第１係合凹溝２５が形成され、規制部７に第１係合凸部２６が形成されているが、前記凹溝２５が規制部７に形成され、前記凸部２６が注出キャップ５に形成されていても構わない。
また、上記実施形態では、容器２に第２係合凹溝２７が形成され、規制部７に第２係合凸部２８が形成されているが、前述した第１係合凹溝２５及び第１係合凸部２６と同様に、それぞれが形成されている部材が入れ替わっても構わない。
【００３９】
また、上記実施形態では、第１係合凹溝２５をキャップ周方向に互いに等間隔をあけて４つ形成したが、４つに限らず３つ以下でも良いし、５つ以上でもよい。また、複数形成する場合、隣接する前記凹溝２５同士の間隔を互いに異ならせても良い。
また、第１係合凸部２６、第２係合凹溝２７及び第２係合凸部２８についても同様に、それぞれの数、及び複数形成される場合の隣接するもの同士の間隔について、上記実施形態に示すものに限られない。
更にまた、規制部７が、注出キャップ５及び容器２に対してキャップ軸Ｏ方向にスライド移動自在に設けられると共に、キャップ軸Ｏ方向に沿って上側にスライド移動されたときに容器２との係合が解除されれば、第１係合凹溝２５、第１係合凸部２６、第２係合凹溝２７及び第２係合凸部２８のそれぞれの形態は、上記実施形態に示したものに限られない。
【００４０】
また、上記実施形態では、規制部７は、リング状のキャップ係合部２３と、筒状の容器係合部２４と、を備え、注出キャップ５及び容器２のそれぞれを全周で囲うものとしているが、これに限らない。但し、このような構成とすることで、注出キャップ５及び容器２の相対的なキャップ周方向に沿った緩み側の移動を、注出キャップ５及び容器２それぞれの全周に亘って規制できるので好ましい。
また、上記実施形態では、規制部７は、キャップ軸Ｏ方向にスライド移動されたときに容器２との係合のみが解除されるものとしたが、注出キャップ５との係合も併せて解除されても構わない。
【００４１】
また、上記実施形態では、第１係止部３０及び第２係止部２９を設けたが、これらは無くても構わない。また、第１係止部３０及び第２係止部２９は突起でなくてもよく、例えば第１係合凸部２６が係脱可能な凹部でも良い。
また、上記実施形態において、オーバーキャップ６の本体筒１９の外表面には、本体筒１９を天地反転させた状態で本体筒１９内に内容物を注入したときに、その注入された内容物の液量を示す目盛り等が設けられていてもよい。この場合、注出キャップ５から取り外したオーバーキャップ６を計量キャップとして用いることができる。
【００４２】
また、上記実施形態では、第１係合凹溝２５及び第１係合凸部２６それぞれの周長を互いに同等にして、注出キャップ５と規制部７との相対的なキャップ周方向に沿った双方向の移動を規制したが、規制部７によって注出キャップ５と容器２との相対的なキャップ周方向に沿った少なくとも緩み側の移動を規制できればこれに限らない。例えば、第１係合凸部２６の周長を第１係合凹溝２５の周長よりも短くし、注出キャップ５と規制部７との相対的なキャップ周方向に沿った一方向の移動のみを規制しても良い。
また、上記実施形態では、第２係合凹溝２７及び第２係合凸部２８それぞれの周長を互いに同等にして、容器２と規制部７との相対的なキャップ周方向に沿った双方向の移動を規制したが、規制部７によって注出キャップ５と容器２との相対的なキャップ周方向に沿った少なくとも緩み側の移動を規制できればこれに限らない。例えば、第２係合凸部２８の周長を第２係合凹溝２７の周長よりも短くし、容器２と規制部７との相対的なキャップ周方向に沿った一方向の移動のみを規制しても良い。
【００４３】
その他、本発明の趣旨に逸脱しない範囲で、上記実施形態における構成要素を周知の構成要素に置き換えることは適宜可能であり、また、上記した変形例を適宜組み合わせてもよい。
【図面の簡単な説明】
【００４４】
【図１】本発明に係る一実施形態のキャップ付容器における要部の拡大された縦断面図である。
【図２】図１に示す規制部周辺の拡大図である。
【図３】図１に示すＡ−Ａ線矢視断面図であって、注出キャップの下筒部及び規制部のキャップ係合部のみを示した図である。
【図４】図１に示すＢ−Ｂ線矢視断面図であって、規制部の容器係合部及び容器の首部のみを示した図である。
【図５】図１に示すキャップ付容器の規制部を上側にスライド移動させた状態を示す図である。
【符号の説明】
【００４５】
Ｏ  キャップ軸
１  キャップ付容器
２  容器
３  口部
４  キャップ
５  注出キャップ
５ａ  注出口
６  オーバーキャップ
７  規制部
２５  第１係合凹溝
２６  第１係合凸部
２７  第２係合凹溝
２８  第２係合凸部
２９  第２係止部
３０  第１係止部
【図１】
2010036921.tif 000003
【図２】
2010036921.tif 000004
【図３】
2010036921.tif 000005
【図４】
2010036921.tif 000006
【図５】
2010036921.tif 000007